(57)【要約】【課題】供給した潤滑油が径方向に流出する量が抑えられるワッシャを提供する。【解決手段】ワッシャ本体の環の軸Ｏはｚ軸方向に沿って配置されている。第１面１０ａはワッシャ本体の＋ｚ方向の側である。内周面１７は、軸Ｏから半径ｒ０の距離にある面である。外周面１８は、軸Ｏから半径ｒ３の距離にある面である。ワッシャ１では、内周面１７の３箇所に切欠部１９が設けられている。切欠部１９のうち最も軸Ｏから遠い部分は軸Ｏから距離ｒ１だけ離れている。第１面１０ａは、ランド部１１ａと、テーパ部１２ａと、油溝１３ａとを有する。ランド部１１ａは、第１面１０ａに沿った部分である。テーパ部１２ａは、ランド部１１ａに対して周方向に傾斜している。また、テーパ部１２ａでは、内周面１７よりも外周面１８が＋ｚ方向に高く、外周面１８に近づくほど＋ｚ方向に突出するように径方向に傾斜している。【選択図】図２
2017180586.tif 000002
【特許請求の範囲】
【請求項１】
環状に形成された板の面で他の部材と摺動するワッシャ本体と、
前記面に設けられたランド部と、
前記面において、前記ランド部の周方向に隣接して設けられ該ランド部に対して該周方向に傾斜するとともに、前記ワッシャ本体の外周面に近づくほど軸方向に突出するように径方向に傾斜したテーパ部と、
を有することを特徴とするワッシャ。
【請求項２】
前記ランド部および前記テーパ部が、前記面の反対側の面にも設けられている
ことを特徴とする請求項１に記載のワッシャ。
【請求項３】
前記他の部材は、前記ワッシャ本体と同軸に配置され、外周面に複数の歯が設けられたギアであり、
前記ワッシャ本体の外周面は、前記ギアの外周面よりも径方向の外側にある
ことを特徴とする請求項１または２に記載のワッシャ。
【請求項４】
前記ワッシャ本体の外周面は、前記他の部材の外周面よりも径方向の内側にある
ことを特徴とする請求項１または２に記載のワッシャ。
【発明の詳細な説明】
【技術分野】
【０００１】
本発明は、潤滑油を介して他の部材と摺動するワッシャに関する。
【背景技術】
【０００２】
自動車のエンジンや光ディスクドライブなどには、他の部材（相手部材という）と摺動してその相手部材のスラスト荷重を受ける摺動部材が用いられる。これらの摺動部材において摩擦抵抗を低減することが求められている。この摩擦抵抗を低減するための構成として、摺動面にテーパ部とランド部とを設けることによって、スラストカラーなどの相手部材との間にくさび状のすきまを形成し、流体動力学的な効果によって軸受の負荷能力を生じさせるものがある。
【０００３】
例えば、特許文献１には、回転軸に保持されこの回転軸とともに回転するスラストカラーと、このスラストカラーの回転軸の軸方向における両側に配置され回転軸およびスラストカラーの移動を規制する一対のスラスト軸受と、を有し、スラストカラーのスラスト軸受と対峙する受圧面に、回転軸を垂線とする平面に対して傾斜したテーパ面と、このテーパ面に連なり平面に平行なランド面と、を回転軸の周方向に交互に複数配置したスラスト軸受構造が開示されている。
【先行技術文献】
【特許文献】
【０００４】
【特許文献１】特開２０１３−２４６６号公報
【発明の概要】
【発明が解決しようとする課題】
【０００５】
ところでこれらの摺動部材では、テーパ部とランド部とに潤滑油を供給する必要があるが、内周側から供給した潤滑油は相手部材の回転による遠心力を受けて外周側に流動し易い。潤滑油が径方向に流出する量が多くなると、テーパ部においてランド部に向かう周方向にくさび形状が形成されていても、くさび効果が低減してしまう、という問題がある。
【０００６】
これに対し本発明は、径方向に流出する潤滑油の量を抑えるワッシャの技術に関する。
【課題を解決するための手段】
【０００７】
本発明は、環状に形成された板の面で他の部材と摺動するワッシャ本体と、前記面に設けられたランド部と、前記面において、前記ランド部の周方向に隣接して設けられ該ランド部に対して該周方向に傾斜するとともに、前記ワッシャ本体の外周面に近づくほど軸方向に突出するように径方向に傾斜したテーパ部と、を有することを特徴とするワッシャを提供する。
【０００８】
本発明において、前記ランド部および前記テーパ部が、前記面の反対側の面にも設けられていてもよい。
【０００９】
本発明において、前記他の部材は、前記ワッシャ本体と同軸に配置され、外周面に複数の歯が設けられたギアであり、前記ワッシャ本体の外周面は、前記ギアの外周面よりも径方向の外側にあってもよい。
【発明の効果】
【００１０】
本発明によれば、潤滑油が径方向に流出する量が抑えられる。
【図面の簡単な説明】
【００１１】
【図１】本発明の実施形態に係るワッシャ１の一例を示す概要図。
【図２】ワッシャ１を第１面１０ａの側から見た図。
【図３】軸Ｏを中心とした円に沿ってワッシャ１を切断した断面Ｓｃを示す図。
【図４】軸Ｏを含むｘｚ平面に沿ってテーパ部１２ａを切断した断面Ｓｒを示す図。
【図５】ワッシャ１の摺動面において生じるくさび効果を説明する概要図。
【発明を実施するための形態】
【００１２】
１．実施形態
図１は、本発明の実施形態に係るワッシャ１の一例を示す概要図である。ワッシャ１は、環状に形成された平板の部材であるワッシャ本体を有する。ワッシャ本体は表裏に互いに平行な端面を有する。ワッシャ本体の一方の端面を第１面１０ａと呼び、他方の端面を第２面１０ｂと呼ぶ。ワッシャ１は、これら２つの端面で相手部材（他の部材）と摺動し、その相手部材のスラスト荷重（軸方向に沿った荷重）を受ける。ワッシャ本体は、環の内側の面である内周面１７と、外側の面である外周面１８とを有する。なお、ワッシャ本体の材質には、スチールやブロンズ（例えばリン青銅）など様々な金属が好適に用いられる。
【００１３】
図２は、ワッシャ１を第１面１０ａの側から見た図である。図２において、ワッシャ１が配置される空間をｘｙｚ右手系座標空間として表し、座標記号のうち、円の中に点を描いた記号は、紙面奥側から手前側に向かう矢印を表す。空間においてｘ軸に沿う方向をｘ軸方向という。また、ｘ軸方向のうち、ｘ成分が増加する方向を＋ｘ方向といい、ｘ成分が減少する方向を−ｘ方向という。ｙ、ｚ成分についても、上記の定義に沿ってｙ軸方向、＋ｙ方向、−ｙ方向、ｚ軸方向、＋ｚ方向、−ｚ方向を定義する。
【００１４】
図２に示す通り、ワッシャ本体の環の軸Ｏはｚ軸方向に沿って配置されている。第１面１０ａはワッシャ本体の＋ｚ方向の側であり、第２面１０ｂ（図２において図示せず）はワッシャ本体の−ｚ方向の側である。内周面１７は、軸Ｏから半径ｒ０の距離にある面である。外周面１８は、軸Ｏから半径ｒ３の距離にある面である。
【００１５】
ワッシャ本体の内周面１７には、複数の切欠部１９が設けられている。図２に示すワッシャ１では、内周面１７の３箇所に切欠部１９が設けられている。切欠部１９のうち最も軸Ｏから遠い部分は軸Ｏから距離ｒ１だけ離れている。
【００１６】
第１面１０ａは、ランド部１１ａ（第１ランド部）と、テーパ部１２ａ（第１テーパ部）と、油溝１３ａとを有する。ランド部１１ａは、軸Ｏに垂直な面、すなわち、第１面１０ａに沿った部分である。テーパ部１２ａは、ランド部１１ａに対して周方向に傾斜しているとともに、ワッシャ本体の外周面に対して径方向に傾斜している部分である。
【００１７】
図２に示す位相θは、ｘｙ平面上において軸Ｏを中心とした円周上の点の位置を示す値であり、軸Ｏからその点へ向いたベクトルと、＋ｘ方向のベクトルとが成す角度で表される。したがって、位相θは０度のときに＋ｘ方向を示し、９０度のときに＋ｙ方向を示し、１８０度のときに−ｘ方向を示し、２７０度のときに−ｙ方向を示す。
【００１８】
ここで、ワッシャ１の断面によりランド部１１ａ、テーパ部１２ａ、および油溝１３ａのｚ軸方向の形状を説明する。
図３は、軸Ｏを中心としてｘｙ平面上に描いた円に沿ってワッシャ１を切断した断面Ｓｃを示す図である。断面Ｓｃはｘｙ平面上において軸Ｏを中心とする半径ｒ２の円に沿っている。ここで、半径ｒ２の円とは、図１に示すように、軸Ｏを中心とする径方向において「切欠部１９のうち最も軸Ｏから遠い部分」と「外周面１８」とを結ぶ線分の中間点を通る円である。したがって、半径ｒ２は、以下の式（１）によって算出される。
ｒ２＝（ｒ１＋ｒ３）／２  …（１）
【００１９】
なお、切欠部１９のうち最も軸Ｏから遠い部分と外周面１８との距離は、（ｒ３−ｒ１）であり、上述した円はこの中間点を通るので、この距離の半分を距離ｒ４とすると半径ｒ２は、以下の式（２）によっても表される。
ｒ２＝ｒ１＋ｒ４  …（２）
【００２０】
半径ｒ０，ｒ２，ｒ３、および距離ｒ１は、ワッシャ１が支える相手部材の大きさなどに応じて決められるが、例えば、ｒ０＝２４．５ｍｍ、ｒ１＝２６．５ｍｍ、ｒ２＝２９．５ｍｍ、ｒ３＝３２．５ｍｍ、ｒ４＝３．０ｍｍなどである（この例は図２のワッシャ１の寸法を示すものではない）。
【００２１】
図３には、ｚ軸方向の位置を示す「ｚ」と、位相θを示す「θ」とで構成されるｚθ座標で断面Ｓｃを表した形状が示されている。ランド部１１ａは、ｚ＝０の平面から＋ｚ方向に厚みｄ１を有する。テーパ部１２ａは、ワッシャ１の周方向においてランド部１１ａの両側に隣接してそれぞれ設けられている。テーパ部１２ａは、周方向においてランド部１１ａの両側から厚みが減少するように傾斜した部分であり、その最も薄い部分はランド部１１ａを基準として、深さｄ２の窪みとなっている。なお、テーパ部１２ａはランド部１１ａより厚みが減少した部位であるため、深さｄ２は正の値であり、０ｍｍおよび負の値にはならない。
【００２２】
油溝１３ａは、内周面１７から外周面１８に向かって潤滑油を通す溝である。油溝１３ａは、テーパ部１２ａの周方向においてランド部１１ａが隣接する側の反対側の端部に隣接していて、その深さは深さｄ３である。深さｄ３は、深さｄ２よりも深い。
【００２３】
なお、図３において示される位置は相対的であり、実際には厚みｄ１＞深さｄ３≫深さｄ２である。例えば、厚みｄ１＝１．０ｍｍ（ミリメートル）、深さｄ３＝０．２ｍｍ、深さｄ２＝０．０２５ｍｍである。
【００２４】
また、ランド部１１ａの周方向における一方の側に設けられたテーパ部１２ａは、他方の側に設けられたテーパ部１２ａと、ランド部１１ａを介して対称である。ここでいう「対称」とは、軸Ｏに沿ったベクトルと、この軸Ｏを中心とする一つの径方向に沿ったベクトルとで表される平面のうち、ランド部１１ａの周方向における中間点を通る平面を鏡映面としたときに、このランド部１１ａの両側のテーパ部１２ａが互いに鏡像となる「鏡像対称」をいう。ワッシャ１と摺動する相手部材の回転方向が正逆いずれもあり得る場合であっても、ランド部１１ａの周方向における両側に設けられた２つのテーパ部１２ａがランド部１１ａを介して互いに鏡像対称であることにより、摺動によって潤滑油が誘導される隙間の形状は同じになる。
【００２５】
テーパ部１２ａおよび油溝１３ａは、ランド部１１ａよりも−ｚ方向に凹んだ部位である。したがって、ランド部１１ａはテーパ部１２ａよりも＋ｚ方向に突出した部位であり、テーパ部１２ａよりも第１面１０ａと摺動する相手部材に近い部位である。
【００２６】
深さｄ２は、０．０４ｍｍ以下であることが望ましく、０．０１ｍｍ程度であることが最も望ましい。
【００２７】
またこの断面Ｓｃにおいて、ランド部１１ａは、周方向に沿って角度θ１にわたって存在し、テーパ部１２ａは、周方向に沿って角度θ２にわたって存在している。そして、この断面において油溝１３ａは、周方向に沿って角度θ３にわたって存在している。図３に示す例では、角度θ３は角度θ１よりも小さい。
【００２８】
テーパ比とは、ランド部１１ａと、このランド部１１ａに隣接する１つのテーパ部１２ａの周方向に沿った範囲のうち１つのテーパ部１２ａが占める比率である。この例でテーパ比ｋは、以下の式（３）で表される。
ｋ＝θ２／（θ２＋θ１）  …（３）
【００２９】
テーパ比は、０．５以上０．９以下であることが望ましく、０．６以上０．８以下であることがより望ましい。最も望ましいテーパ比は、０．７である。
【００３０】
第２面１０ｂにも、ランド部１１ｂ、テーパ部１２ｂ、および油溝１３ｂが設けられている。ランド部１１ｂ、テーパ部１２ｂ、および油溝１３ｂは、大きさ、すなわち、周方向の長さとｚ軸方向の深さ、およびこれらの周方向における並び方、鏡像関係などがそれぞれ、ランド部１１ａ、テーパ部１２ａ、および油溝１３ａと共通である。
【００３１】
つまり、ワッシャ１の第１面１０ａには、１つのランド部１１ａ、このランド部１１ａの両側に隣接した２つのテーパ部１２ａ、およびこれら２つのテーパ部１２ａのいずれか一方に隣接した１つの油溝１３ａからなる組が、第１面１０ａにおいて１２０度ごとに３つ設けられている。そして、ワッシャ１の第２面１０ｂには、１つのランド部１１ｂ、このランド部１１ｂの両側に隣接した２つのテーパ部１２ｂ、およびこれら２つのテーパ部１２ｂのいずれか一方に隣接した１つの油溝１３ｂからなる組が、第２面１０ｂにおいて１２０度ごとに３つ設けられている。
【００３２】
さらに、ランド部１１ａとランド部１１ｂとは周方向において同じ位相で設けられている。例えば、図３に示すランド部１１ａおよびランド部１１ｂは、いずれも３０度と１５０度を中心に設けられている。なお、図２に示す通りランド部１１ａは、３０度、１５０度に加えて２７０度、つまり１２０度ごとに３箇所、第１面１０ａに設けられており、ランド部１１ｂはランド部１１ａと第２面１０ｂにおいて同じ位相で設けられている。したがって、ランド部１１ａとランド部１１ｂとは周方向において位相差がない。テーパ部１２ａとテーパ部１２ｂ、および油溝１３ａと油溝１３ｂも同様に、周方向において位相差がない。
【００３３】
図４は、軸Ｏを含むｘｚ平面に沿ってテーパ部１２ａを切断した断面Ｓｒを示す図である。図４には、縦軸にｚ軸方向の位置が、横軸に軸Ｏからの距離ｒが示されている。なお、テーパ部１２ａとテーパ部１２ｂとは同形状であるため、図４の縦軸にはｚが０以上の領域のみを表し、ｚが０未満の領域については省略する。
【００３４】
図４に示す通り、テーパ部１２ａでは、内周面１７よりも外周面１８が＋ｚ方向に高い。そして図４に示す通り、テーパ部１２ａは、外周面１８に近づくほど＋ｚ方向に突出するように径方向に傾斜している。
【００３５】
なお、図４のＣＡＳＥ１に示すテーパ部１２ａは、内周面１７から外周面１８に近づくに連れて一定の割合で＋ｚ方向に突出する場合である。また、図４のＣＡＳＥ２に示すテーパ部１２ａは、内周面１７に近い側に上述した傾斜があり、途中から傾斜がなくなる場合である。また、図４のＣＡＳＥ３に示すテーパ部１２ａは、傾斜面が曲面で構成されている場合である。これらいずれの場合であっても、テーパ部１２ａは内周面１７よりも外周面１８で＋ｚ方向に高いため、ｚ軸方向に垂直な摺動面を有する相手部材との間で軸Ｏから離れる方向に進むほど狭くなる「くさび形状」の空間が形成される。
【００３６】
図５は、ワッシャ１の摺動面において生じるくさび効果を説明する概要図である。図５（ａ）には、縦軸にｚ軸方向の位置が、横軸に周方向の位相θが示されている。
【００３７】
図５（ａ）に示す通り、テーパ部１２ａがランド部１１ａに対して周方向に傾斜しているため、テーパ部１２ａと相手部材８との間は、例えば位相θの増加する方向、すなわち、ランド部１１ａに向かう方向に進むほど狭くなる「くさび形状」になっている。
【００３８】
ここで、相手部材８がワッシャ１に対して相対的に＋θ方向に回転すると、相手部材８とワッシャ１との間に滞留する潤滑油は相手部材８に伴って＋θ方向に流動する。そのため、この潤滑油は図５（ａ）に示す矢印ｆ１方向に沿って、くさび形状で狭くなった領域Ｒ１に流れ込み、領域Ｒ１における圧力が増加する。これによりいわゆるくさび効果が発生し、ワッシャ１と相手部材８との摩擦抵抗が減少する。
【００３９】
一方、相手部材８とワッシャ１との間に滞留する潤滑油は相手部材８の回転に伴って遠心力を受け、径方向に沿って内側から外側へ流れようとする。図５（ｂ）に示す通り、テーパ部１２ａは径方向にも傾斜しているため、テーパ部１２ａと相手部材８との間は、軸Ｏからの距離ｒの増加する方向、すなわち、径方向に沿ってワッシャ本体の内周面１７から外周面１８に向かう方向に進むほど狭くなる「くさび形状」になっている。
【００４０】
潤滑油が径方向に沿って軸Ｏから離れる方向に流動すると、この潤滑油は図５（ｂ）に示す矢印ｆ２方向に沿って、くさび形状で狭くなった領域Ｒ２に流れ込み、領域Ｒ２における圧力が増加する。これによりくさび効果が発生し、ワッシャ１と相手部材８との摩擦抵抗が減少する。また、圧力が高くなった領域Ｒ２は潤滑油を通し難くなるため、潤滑油の外周面への流出が抑制される。
【００４１】
なお、ワッシャ本体の外周面１８は、相手部材８の外周面よりも径方向の外側にあるように構成されていてもよい。例えば図５（ｂ）に示す場合、相手部材８の外周面は軸Ｏを中心とする半径ｒ８の面であり、ワッシャ本体の外周面１８は軸Ｏを中心とする半径ｒ３の面である。そして、半径ｒ８は半径ｒ３よりも小さい（ｒ８＜ｒ３）。つまり、外周面１８は相手部材８の外周面よりも径方向の外側にある。
【００４２】
これにより領域Ｒ２を通過した潤滑油は、相手部材８の外周面よりも径方向の外側にあるワッシャ本体に阻まれて−ｚ方向に流れ難く、図５（ｂ）に示したように矢印ｆ３方向に沿って＋ｚ方向に流れ易くなる。つまり、ワッシャ本体の外周面１８が相手部材８の外周面よりも径方向の外側にあるように構成されていることで、この構成を有しない場合に比べて、相手部材８の外周面に潤滑油が供給され易くなる。
【００４３】
また、この構成でワッシャ１は相手部材８の外周面を覆うので、相手部材８の外周面に臨む外縁部とワッシャ１との隙間が最も小さくなり、この外縁部における油膜圧力で相手部材８が支えられることになる。相手部材８の周方向においてこの外縁部が最も長いため、外縁部よりも内側で支えられる場合に比べて、この構成は相手部材８を支える油膜圧力が高くなる。
【００４４】
特に、図５（ｂ）に示すように、相手部材８が、ワッシャ本体と同軸に配置され、その外周面に複数の歯８１が設けられたギアである場合、摩擦抵抗を低減させるために歯８１には潤滑油が満たされていることが望ましい。上述した通り、外周面１８が相手部材８の外周面よりも径方向の外側になるようにワッシャ１を形成することで、相手部材８の外周面に潤滑油が流れ易くなる。
【００４５】
２．変形例
以上が実施形態の説明であるが、この実施形態の内容は以下のように変形し得る。また、以下の変形例を組み合わせてもよい。
【００４６】
２−１．変形例１
上述した実施形態において、テーパ部１２ａは、周方向の全領域においてランド部１１ａに対して傾斜していたが、ランド部１１ａに隣接していない領域においては傾斜していない部分を有していてもよい。この構成であっても、テーパ部１２ａがランド部１１ａと隣接する領域においてはランド部１１ａに対して周方向に傾斜しているため、テーパ部１２ａとランド部１１ａとの成す角は比較的鋭角であり、テーパ部１２ａの表面を流れる潤滑油がこの傾斜に沿って相手部材との隙間が狭くなる方に誘導されて、くさび効果を奏する。
【００４７】
２−２．変形例２
上述した実施形態において、ワッシャ１の第１面１０ａには、ランド部１１ａと、このランド部１１ａの両側に隣接した２つのテーパ部１２ａと、いずれか一方のテーパ部１２ａに隣接した油溝１３ａとからなる組が、第１面１０ａにおいて１２０度ごとに３つ設けられ、第２面１０ｂにおいても、これらに相当する構成が３つ設けられていたが、これらの組が端面に設けられる数は３つに限られない。これらの組は複数であれば、２つであってもよいし、４つ以上であってもよい。
【００４８】
２−３．変形例３
上述した実施形態において、ワッシャ１の第１面１０ａにはランド部１１ａ、テーパ部１２ａ、油溝１３ａが、第２面１０ｂにはランド部１１ｂ、テーパ部１２ｂ、油溝１３ｂがそれぞれ設けられていたが、これらは第１面１０ａ、第２面１０ｂのいずれか一方の面にだけ設けられていてもよい。また、第１面１０ａおよび第２面１０ｂの両方にこれらが設けられている場合に、それぞれの周方向の位相が異なっていてもよい。
【００４９】
２−４．変形例４
上述した実施形態において、ランド部１１ａおよびランド部１１ｂの周方向における一方の側に設けられたテーパ部１２ａおよびテーパ部１２ｂは、それぞれ他方の側に設けられたテーパ部１２ａ、テーパ部１２ｂと、ランド部１１ａ、ランド部１１ｂを介して鏡像対称であったが、非対称であってもよい。
【００５０】
また、テーパ部１２ａおよびテーパ部１２ｂは、ランド部１１ａまたはランド部１１ｂの両側に設けられていたが、一方の側だけに設けられていてもよい。
【００５１】
２−５．変形例５
上述した実施形態において、切欠部１９は、ワッシャ１の内周面１７において、３つの油溝１３ａ、油溝１３ｂに相当する３箇所にそれぞれ重ねて設けられていたが、ワッシャ１は切欠部１９を有していなくてもよい。例えば、内周面１７に収容される軸との隙間を通って潤滑油が第１面１０ａと第２面１０ｂとを行き来するように構成されていてもよい。
【００５２】
２−６．変形例６
上述した実施形態において、ワッシャ１の第１面１０ａには油溝１３ａが、第２面１０ｂには油溝１３ｂがそれぞれ設けられていたが、油溝はいずれか一方の端面にだけ設けられていてもよい。また、油溝は、いずれの端面にも設けられなくてよい。油溝１３ａが設けられていない場合、例えばテーパ部１２ａやテーパ部１２ｂは、それらの最も薄い部分同士で隣接すればよい。
【００５３】
２−７．変形例７
上述した実施形態において、ワッシャ本体の外周面１８は、相手部材８の外周面よりも径方向の外側にあるように構成されていたが、相手部材８の外周面と重なる位置にあるように構成されていてもよい。また、ワッシャ本体の外周面１８は、相手部材８の外周面よりも径方向の内側にあるように構成されていてもよい。ワッシャ本体に設けられたテーパ部１２ａは、ランド部１１ａに対して周方向に傾斜しているとともに、ワッシャ本体の外周面に対して径方向に傾斜しているので、ワッシャ本体の外周面１８が、相手部材８の外周面よりも径方向の外側にあると相手部材８の外周面に含まれる外縁部がテーパ部１２ａと摺動する。このときテーパ部１２ａは、径方向の長さが短い部分で外縁部と摺動するのでテーパ部１２ａには段付き摩耗が生じる場合がある。ワッシャ本体の外周面１８を相手部材８の外周面よりも径方向の内側にあるように構成したことにより、この変形例におけるワッシャ１は、相手部材８との摺動による段付き摩耗が生じ難い。
【符号の説明】
【００５４】
１…ワッシャ
１０ａ…第１面
１０ｂ…第２面
１１ａ…ランド部
１１ｂ…ランド部
１２ａ…テーパ部
１２ｂ…テーパ部
１３ａ…油溝
１３ｂ…油溝
１７…内周面
１８…外周面
１９…切欠部
８…相手部材
８１…歯
【図１】
2017180586.tif 000003
【図２】
2017180586.tif 000004
【図３】
2017180586.tif 000005
【図４】
2017180586.tif 000006
【図５】
2017180586.tif 000007